(57)【要約】【課題】  胴内排紙型の画像形成装置において、画像読取部を押さえたりして力を掛けても、支持部材を固定しているネジ等がせん断力によって破損することが無いようにする。【解決手段】  支持部材３は、画像形成装置本体の本体後側板９の背面側に組み付けたブラケット１０に対して複数のネジ１１と２箇所の嵌合部１２で取り付ける。支持部材３をブラケット１０と左カバー６で挟むようにしてプリンタ部２の上方側から挿入し、左カバー６をその弾性により外側へ撓ませつつ装着し、凸形状部１４をブラケット１０の穴１５と合致させて嵌め、左カバー６は撓みを無くし、複数のネジ１１をねじ込み、支持部材３を固定する。スキャナ部１の左前隅部分に対して力を掛けても、凸形状部１４がせん断力を受け、ネジ１１は破損しにくい。【選択図】        図２
2005301181.tif 000002
【特許請求の範囲】
【請求項１】
原稿を読み取る画像読取部と、画像を転写紙に記録する画像形成部からなる画像形成装置において、前記画像読取部を前記画像形成部上に支持するための支持部材を、前記画像形成部の上方向から該画像形成部に着脱可能としてなり、前記画像形成部が前記支持部材を組み付ける部位に凸形状部または凹形状部あるいは穴を備え、前記支持部材は、前記画像形成部の凸形状部または凹形状部あるいは穴に凹凸係合可能な嵌着部を有することを特徴とする画像形成装置。
【請求項２】
請求項１の画像形成装置において、前記支持部材を装着する部位を前記画像形成部のブラケット部材と外装カバーとの間に配してなり、前記支持部材の前記嵌着部の高さよりも、前記支持部材と前記画像形成部の外装カバーとの間隔を小さくしてなることを特徴とする画像形成装置。
【請求項３】
原稿を読み取る画像読取部と、画像を転写紙に記録する画像形成部からなる画像形成装置において、前記画像読取部を前記画像形成部上に支持するための補強部材を、前記画像読取部または前記画像形成部から出没可能かつ待避可能に設けてなることを特徴とする画像形成装置。
【請求項４】
請求項３の画像形成装置において、前記画像読取部を支持している状態に前記支持部材をロックする支持ロック手段を備えることを特徴とする画像形成装置。
【請求項５】
請求項３または４の画像形成装置において、前記支持部材を収納状態にロックする収納ロック手段を備えることを特徴とする画像形成装置。
【請求項６】
請求項５の画像形成装置において、前記支持ロック手段と前記収納ロック手段とが共有部材を有してなることを特徴とする画像形成装置。
【請求項７】
原稿を読み取る画像読取部と、画像を転写紙に記録する画像形成部からなり、転写排紙口を前記画像読取部と前記画像形成部の間に設けてなる画像形成装置において、前記画像読取部を前記画像形成部上に支持するための補強部材を、前記画像読取部及び／または前記画像形成部に着脱可能に設けるとともに、画像形成装置本体内に取り外した前記補強部材を収納するための収納空間を設けてなることを特徴とする画像形成装置。
【請求項８】
請求項７の画像形成装置において、前記画像形成装置が運搬用の取手部を有し、前記補強部材の収納空間を前記取手部内に設けてなることを特徴とする画像形成装置。
【請求項９】
請求項８の画像形成装置において、前記取手部内の前記収納空間に凹形状部または凸形状部を備え、前記補強部材は、該凹形状部または凸形状部と凹凸係合可能な嵌着部を有することを特徴とする画像形成装置。
【請求項１０】
原稿を読み取る画像読取部と、画像を転写紙に記録する画像形成部からなり、転写排紙口を前記画像読取部と前記画像形成部の間に設けてなる画像形成装置において、前記画像読取部を前記画像形成部上に支持するための補強部材を、前記画像読取部及び／または前記画像形成部に着脱可能に設けるとともに、該補強部材がその内部に筆記用具等を収納できる収納部を有することを特徴とする画像形成装置。
【請求項１１】
請求項１０の画像形成装置において、前記補強部材が画像形成装置本体のオペレーションパネルや外装部材への着脱部を有することを特徴とする画像形成装置。
【請求項１２】
請求項１１の画像形成装置において、前記補強部材の前記着脱部が、前記オペレーションパネルや前記外装部材への引っ掛け形状部であることを特徴とする画像形成装置。
【請求項１３】
請求項１０ないし１２のいずれかの画像形成装置において、前記画像読取部及び／または前記画像形成部に、前記補強部材を装着するためのスライドガイド溝を設けてなることを特徴とする画像形成装置。
【発明の詳細な説明】
【技術分野】
【０００１】
本発明は、電子写真方式を利用した複写機、ファクシミリ、プリンタ、これらの複合機等の画像形成装置に関し、詳細には画像読取部と画像形成部との間に記録紙排紙空間を設けた画像形成装置における支持、補強構造に関する。
【背景技術】
【０００２】
電子写真方式を用いた複写機、プリンタ、ファクシミリ等の機器では、主として原稿を読み取るための画像読取部（以下、特に必要がなければスキャナ部）と、転写紙に画像を転写紙に記録する画像形成部（以下、特に必要がなければプリンタ部）によって構成されているが、近年の装置では省スペースを考慮し、排紙口をスキャナ部とプリンタ部の間に設けている機種が多くなっている。また、デジタル複写機等では、スキャナ部とプリンタ部とを別体とすることができるようになった。
【０００３】
すなわち、ユニットの配置を画像形成装置としての利便性のため、例えば排紙された転写紙を持ち出しやすくするため、プリンタ部の上方にスキャナ部を支持し、両部の間に排紙部を備えたもの（いわゆる胴内排紙型）のものが多くなっている。この構成の場合、装置前面と一方の左右どちらかの側面（正面から見て右側面を開放している機械もあるが、以下では左側面が開放されていることとして説明する）が開放され、この２面を除く２方の装置面が壁部によって取り囲まれている構成を採用している。そしてスキャナ部の支持には、支持部材を装置本体の背面側から正面側へ延ばした片持ち状のものとし、このような支持部材を、多くの場合、プリンタ部にネジ止めして固定している。
【０００４】
ところが、そのような構造の場合、前方にスキャナ部を支持する部材を配置しないため、スキャナ部を支持するための剛性が低くなり、スキャナ部には変位やゆがみが発生しやすい。すなわち、支持が無い部分にスキャナ部の自重が掛かることはもちろん、使用中にユーザーが操作部に手を掛けることによってさらに大きな力が支持部材に掛かることがある。
【０００５】
また特に、運搬時には大きな外力を受けることが多く、上述のような変形等の不具合が生じやすい。そのため、運搬時に脱着可能な補強部材を後付けする等の対策が講じられている。通常、不要になった後のことを考慮して補強部材を発泡スチロール等で形成し、スキャナ部とプリンタ部との間に挟みこみ、例えばユーザー指定の設置場所等へ着荷した後に破棄するようになっている。
【０００６】
【特許文献１】特開２００２−３２３８０２号公報
【特許文献２】特開２００１−００１６０８号公報
【発明の開示】
【発明が解決しようとする課題】
【０００７】
片持ち状の支持部材を用いると、支持部材を画像形成装置本体に締結しているネジに大きなせん断力が掛かることがあり、ネジのネジ山が破損して支持部材を着脱できなくなることがあり得る。またいっそう大きなせん断力がネジに掛かった場合にはネジが切断されてしまうこともある。
【０００８】
また脱着可能な補強部材は、稼動時には排紙の邪魔になるため取り外して廃棄するか別途保管することになるため、移動時等にあえて補強部材を取り付けるのが面倒で、そのため補強部材を用いずに搬送して上述のような変形を生じさせてしまったり、使用後に紛失してしまったりすることがある。もちろん、補強部材を発泡スチロール等で形成した場合には、工場から市場までの搬送中の振動により、支持部材が変形してしまうこともある。また、環境問題という観点からできるだけ梱包材を減らそうとする現在の流れには沿っておらず、廃棄物が増えるということから環境面でも思わしくない。
【０００９】
本発明は、これら従来の問題点を解決した画像形成装置を提供することを目的とする。
【課題を解決するための手段】
【００１０】
本発明の請求項１に係る画像形成装置は、原稿を読み取る画像読取部と、画像を転写紙に記録する画像形成部からなる画像形成装置において、前記画像読取部を前記画像形成部上に支持するための支持部材を、前記画像形成部の上方向から該画像形成部に着脱可能としてなり、前記画像形成部が前記支持部材を組み付ける部位に凸形状部または凹形状部あるいは穴を備え、前記支持部材は、前記画像形成部の凸形状部または凹形状部あるいは穴に凹凸係合可能な嵌着部を有することを特徴とする。
【００１１】
同請求項２に係るものは、請求項１の画像形成装置において、前記支持部材を装着する部位を前記画像形成部のブラケット部材と外装カバーとの間に配してなり、前記支持部材の前記嵌着部の高さよりも、前記支持部材と前記画像形成部の外装カバーとの間隔を小さくしてなることを特徴とする。
【００１２】
同請求項３に係るものは、原稿を読み取る画像読取部と、画像を転写紙に記録する画像形成部からなる画像形成装置において、前記画像読取部を前記画像形成部上に支持するための補強部材を、前記画像読取部または前記画像形成部から出没可能かつ待避可能に設けてなることを特徴とする。
【００１３】
同請求項４に係るものは、請求項３の画像形成装置において、前記画像読取部を支持している状態に前記支持部材をロックする支持ロック手段を備えることを特徴とする。
【００１４】
同請求項５に係るものは、請求項３または４の画像形成装置において、前記支持部材を収納状態にロックする収納ロック手段を備えることを特徴とする。
【００１５】
同請求項６に係るものは、請求項５の画像形成装置において、前記支持ロック手段と前記収納ロック手段とが共有部材を有してなることを特徴とする。
【００１６】
同請求項７に係るものは、原稿を読み取る画像読取部と、画像を転写紙に記録する画像形成部からなり、転写排紙口を前記画像読取部と前記画像形成部の間に設けてなる画像形成装置において、前記画像読取部を前記画像形成部上に支持するための補強部材を、前記画像読取部及び／または前記画像形成部に着脱可能に設けるとともに、画像形成装置本体内に取り外した前記補強部材を収納するための収納空間を設けてなることを特徴とする。
【００１７】
同請求項８に係るものは、請求項７の画像形成装置において、前記画像形成装置が運搬用の取手部を有し、前記補強部材の収納空間を前記取手部内に設けてなることを特徴とする。
【００１８】
同請求項９に係るものは、請求項８の画像形成装置において、前記取手部内の前記収納空間に凹形状部または凸形状部を備え、前記補強部材は、該凹形状部または凸形状部と凹凸係合可能な嵌着部を有することを特徴とする。
【００１９】
同請求項１０に係るものは、原稿を読み取る画像読取部と、画像を転写紙に記録する画像形成部からなり、転写排紙口を前記画像読取部と前記画像形成部の間に設けてなる画像形成装置において、前記画像読取部を前記画像形成部上に支持するための補強部材を、前記画像読取部及び／または前記画像形成部に着脱可能に設けるとともに、該補強部材がその内部に筆記用具等を収納できる収納部を有することを特徴とする。
【００２０】
同請求項１１に係るものは、請求項１０の画像形成装置において、前記補強部材が画像形成装置本体のオペレーションパネルや外装部材への着脱部を有することを特徴とする。
【００２１】
同請求項１２に係るものは、請求項１１の画像形成装置において、前記補強部材の前記着脱部が、前記オペレーションパネルや前記外装部材への引っ掛け形状部であることを特徴とする。
【００２２】
同請求項１３に係るものは、請求項１０ないし１２のいずれかの画像形成装置において、前記画像読取部及び／または前記画像形成部に、前記補強部材を装着するためのスライドガイド溝を設けてなることを特徴とする。
【発明の効果】
【００２３】
本発明に係る画像形成装置は、いわゆる胴内排紙型の画像形成装置において、画像読取部を押さえたりして力を掛けても、支持部材を固定しているネジ等がせん断力によって破損することが無い。
【００２４】
また本発明に係る画像形成装置は、いわゆる胴内排紙型の画像形成装置において、補強部材を利用しやすくすることができる。
【発明を実施するための最良の形態】
【００２５】
以下本発明を実施するための最良の形態を、図に示す実施例を参照して説明する。
【実施例１】
【００２６】
図１は、本発明に係る画像形成装置の一実施例を示す斜視図であり、原稿を読み取るスキャナ部１、電子写真方式を用いて転写紙にトナー像を顕像化するプリンタ部２により構成された複写機である。スキャナ部１は、逆Ｌ字状の支持部材３を介してプリンタ部２上に着脱可能に設置し、スキャナ部１とプリンタ部２の間に排紙部４を形成したいわゆる胴内排紙型のものである。排紙部４は、正面（図中５が前カバーである）から見て左側面（左カバー６を設けた側）が開放されており、前面と左側面の２面を除く２方の装置面が画像形成装置本体をなす筐体の壁部によって取り囲まれている構成となっている。図中７は給紙部で、プリンタ部２の下部に位置している。また図中８は操作部である。
【００２７】
図２は支持部材３の取付け構造を示す拡大斜視図である。支持部材３は、画像形成装置本体をなす筐体の本体後側板９の背面側に組み付けたブラケット１０に対して複数のネジ１１と後述する２箇所の嵌合部１２で取り付けるようになっている。
【００２８】
図３は、上述の取付け状態でブラケット１０側を向く支持部材３の面形状を示す斜視図である。支持部材３には、ネジ１１を通すための複数の穴１３とともに、２つの凸形状部１４が設けてある。一方ブラケット１０には、支持部材３の凸形状部１４に嵌合するための穴１５（図３には図示せず。図４参照）が設けてある。これらの凸形状部１４と穴１５とが上述した嵌合部を形成している。
【００２９】
図４は、支持部材３の凸形状部１４とブラケット１０の穴１５とを嵌合させて支持部材３をブラケット１０に取り付ける状態を示す断面図である。
【００３０】
まず図４（Ａ）に示すように、支持部材３をブラケット１０と左カバー６で挟むようにしてプリンタ部２の上方側から下端を挿入していく。支持部材３の凸形状部１４の高さＨは、支持部材３と左カバー６との隙間Ａ以上（Ｌ≧Ａ）なので、左カバー６はその弾性により外側へ膨らむように撓み、支持部材３の挿入を許す。なお、このとき左カバー６は奥側端部の爪形状部１６が後カバー１７の端部に引っかかることで、脱落が防止されている。
【００３１】
支持部材３をある程度まで差し込んでいくと、凸形状部１４がブラケット１０の穴１５と合致し、凸形状部１４は穴１５内へ嵌る状態になり、左カバー６は撓みの無い状態へ復帰する。支持部材３の凸形状部１４の高さＨと左カバー６との隙間ＡとがＬ≧Ａとなっているので支持部材３の差し込み時に左カバー６が撓み、凸形状部１４がブラケット１０の穴１５に嵌合するとその撓みが開放されるので、それがバネ性の効果となり、取付け作業者はこれによってクリック感を得られ、確実に凸形状部１４がブラケット１０の穴１５に嵌ったことを知り得る。図４（Ｂ）はこの状態を示す。
【００３２】
そしてこの状態で同じくプリンタ部２の上方側から複数のネジ１１をブラケット１０側から支持部材３側へ通してねじ込み、支持部材３を固定する。なお、ネジ１１は、いったん左カバー６を外して支持部材３側からブラケット１０側へねじ込むようにしても良い。
【００３３】
図５はこのようにして組み立てた状態を示す斜視図である。例えばスキャナ部１の左前隅部分に対して上方からユーザーなどが押え力Ｆを掛けたとしても、支持部材３の凸形状部１４でせん断力を受けるため、支持部材３を固定しているネジ１１はそのせん断力によって破損しにくい。
【実施例２】
【００３４】
図６は本発明に係る画像形成装置の第２の実施例を示す斜視図である。なお以下の実施例の説明では、先の実施例と共通する部分に共通する符号を付して説明する。また共通する構成、作用については説明を省略することもある。既述のように、胴内の排紙部４は、排紙された用紙が機器に向かって正面及び左方向から取り出しやすいよう開口しており、左前隅先端側部分の剛性が弱くて変形しやすい。そこで本実施例では、図６（Ａ）に示すように、スキャナ部１の排紙先側の下端縁部に補強部材２０を回動可能に設けてある。
【００３５】
図６（Ｂ）は補強部材２０の収納状態を、図６（Ｃ）は使用状態を示す。補強部材２０は、図示のように溝型の断面形状を有し、基端部に設けた小孔２１によりスキャナ部１の筐体にピン等で回動可能に軸支してあり、先端側中央には窓２２とロック部材２３を設けてある。ロック部材２３は補強部材２０の背面側に設けた爪部２４、２４により挟んで摺動可能に取り付けてある。また窓２２から表側へ突出する操作片部２５を折り曲げ形成してあり、その基部と窓２２の上辺との間にスプリング２６を配し、下方へ摺動して突出するように付勢してある。一方、排紙部４の左側開口縁には、ロック部材２３の突出端を係止可能な係止凹部２７が設けてある。
【００３６】
すなわち、図６（Ｃ）のように補強部材２０を回動させて降ろすと、ロック部材２３の突出端がスプリング２６の付勢力によって係止凹部２７に入り込み、ロック部材２３はスキャナ部１とプリンタ部２との間に支柱状に固定され、スキャナ部１の左前隅部分に対して上方からユーザーなどが押え力を掛けたとしても、スキャナ部１の左前隅部分が下がって変形しないように、あるいはゆがまないように支えることができ、運搬時等に不用意に収納状態にならないようにすることができる。
【００３７】
また不要になったときは、窓２２から表側へ突出している操作片部２５をスプリング２６の付勢力に抗して持ち上げると、ロック部材２３の突出端が係止凹部２７から外れ、そのまま上方へ、すなわちスキャナ部１の底面側へ回動させれば収納状態とすることができる。なお、図示は省略するが、スキャナ部１の底面側にもロック部材２３の突出端を係止する凹部等を設けておけば、収納状態をそのまま維持できる。
【実施例３】
【００３８】
図７は本発明に係る画像形成装置の第３の実施例を示す斜視図である。本実施例では、図７（Ａ）に示すように、排紙部４の排紙先側の端縁部中央に補強部材３０をプリンタ部２の筐体に上下方向で出没可能に設けてある。
【００３９】
図７（Ｂ）は補強部材３０の収納状態を、図７（Ｃ）は使用状態を示す。この実施例の補強部材３０も、図示のように溝型の断面形状を有し、中央長手上下方向に長溝３１を形成し、その上下端対応位置の両側それぞれに係止穴３２・・・を設け、上端中央には操作片部３３を折り曲げ形成してある。この補強部材３０は、プリンタ部２の筐体内に配するロック部材３４とともに使用するものである。
【００４０】
ロック部材３４は、補強部材３０の溝型の断面内に収まる幅寸法を有するやはり溝型の断面形状を有し、係止穴３２に挿入可能な一対の係止ピン３５、３５と、それらの中央に位置して補強部材３０の長溝３１に係合可能な解除ピン３６とを水平方向へ突出させて備えている。解除ピン３６は、係止ピン３５よりも長い寸法を有する。またロック部材３４は、背面側に配したスプリング３７によりプリンタ部２の筐体内で補強部材３０側へ移動付勢してある。
【００４１】
この例では、不使用時には補強部材３０はプリンタ部２の筐体内へ収納しておき、必要時にはロック部材３４によるロックを解除し、操作片部３３を操作して排紙部４上へ引き出して使用する。詳細には、収納状態では図７（Ｂ）に示すように、上部の係止穴３２にロック部材３４の係止ピン３５が嵌入し、解除ピン３６は長溝３１の上端側に位置する。その状態から、補強部材３０を使用するときは、解除ピン３６をスプリング３７の付勢力に抗して押し込み、係止ピン３５を上側の係止穴３２から外し、そのまま操作片部３３を操作して補強部材３０全体を上方へ持ち上げる。係止ピン３５を内面側に摺接させつつ補強部材３０を上昇させると、解除ピン３６が長溝３１の下端位置に来る。そのとき解除ピン３６を押していなければ係止ピン３５は下部の係止穴３２へスプリング３７の付勢力により入り込み、補強部材３０は再びロックされる。その状態では図７（Ａ）に示すように排紙部４上へ突出するので、そのときにスキャナ部１の底面に突き当たるように補強部材３０の寸法を形成しておけば、第２の実施例と同様にスキャナ部１に対する支柱とすることができる。
【００４２】
不要になったときは、図７（Ｃ）の状態で解除ピン３６をスプリング３７の付勢力に抗して押し込み、操作片部３３を操作して補強部材３０を下方へ押し下げる。すると下端位置で解除ピン３６を押していなければ係止ピン３５が上部の係止穴３２へスプリング３７の付勢力により入り込み、補強部材３０は再びロックされ、図７（Ｂ）の状態に戻り、不要時に過って出没することがなくなる。
【００４３】
なお、図示の実施例では突出状態のロック機構と、収納状態のロック機構と、さらにはロック解除機構とを共有部材で構成して機構を簡素化するとともに、操作性を向上させているが、これらを別途に備えるように構成することも可能である。
【実施例４】
【００４４】
図８は本発明に係る画像形成装置の第４の実施例を示す斜視図である。本実施例では、スキャナ部１の補強部材４０は単に板状のあるいは柱状の部材であり、スキャナ部１とプリンタ部２との間に単に挟んでスキャナ部１を支える状態を作るものとなっている。このような補強部材４０は、既に説明したように機械の設置後にはＡ３等の大サイズ転写紙の排紙に干渉するために取り外して、破棄されていたが、機械をリサイクルのため回収したい場合には再び使用したいときがあり、その時には破棄されて存在しておらず、使用できないことがあった。
【００４５】
そこで本実施例では、取り外した補強部材４０をプリンタ部２の前カバー５の内側の収納スペース４１に、あるいは給紙部７が備える給紙トレイ７ａのカバー部等に形成した収納スペース４２に収納でき、破棄せずに保管できるようにしてある。
【実施例５】
【００４６】
図９は本発明に係る画像形成装置の第５の実施例を示す斜視図（Ａ）と断面図（Ｂ、Ｃ）である。本実施例は、第４実施例の変形例であり、左カバー６に設けた運搬用の取手部５０を補強部材４０の収納部を兼ねるようにしてある。すなわち、取手部５０の開口内側に収納箱体５１を溶着やネジで固定し、取手部５０の下辺内側に段差５２を設け、収納箱体５１内へ入れた補強部材４０が飛び出さないように納め得るようにしてある。
【００４７】
すなわち、取手部５０は機械運搬時には必ず持つ部分であるので、リサイクルのための回収時には補強部材４０が取手部５０の内側に収まっていることを作業者が気づき易く、したがって補強部材４０の付け忘れが防げ、補強部材４０を使用しないまま運搬される可能性を小さくできる。
【実施例６】
【００４８】
図１０は本発明に係る画像形成装置の第６の実施例を示す斜視図（Ａ）と断面図（Ｂ）である。本実施例は、第５実施例の変形例であり、作業者が手を差し込みやすいように底面を斜面状とした取手部６０の奥上端の壁部に切り欠き部６１を一対設けるとともに、補強部材４０にはこれに対応するように一対の凸形状部４０ａを設け、補強部材４０を取手部６０の内部に収納した際に凸形状部４０ａを切り欠き部６１に嵌着させ得るようにしてある。そのため取手部６０の底面を斜面状としてあっても補強部材４０が滑り出てくることを防止できるようになっている。なお、取手部６０側に凸部を設け、補強部材４０側に凹部を設け、両部が嵌合、嵌着できる構成としてもよい。
【実施例７】
【００４９】
図１１は本発明に係る画像形成装置の第７の実施例を示す斜視図（Ａ）と断面図（Ｂ）である。本実施例も、第４実施例と同様に、スキャナ部１の補強部材７０を柱状の部材としたものであるが、この補強部材７０を、筆記用具等が入れられるように中空有底の箱型形状としたものである。また上端寄りの一側面にフック形状部７１を形成し、例えば操作部８の側面にフック穴８ａを設けて、そこに引っ掛けておけるようにしてある。なお補強部材７０を製品の外装と同色とすると外観が良くなる。また同種の材料で形成してもよい。
【００５０】
すなわち機械の設置後に取り外した補強部材７０をフック形状部７１をフック穴８ａに引っ掛けて筆記用具入れなどとして活用することにより、破棄せずに済むようにするとともに、リサイクルなどのために回収する際には再び補強用の部材として使用できるようにしたものである。したがって廃棄物削減に貢献できるだけでなく、テープ止めする必要がないので、何度でも再使用でき、しかも作業員の目に付きやすいので、付け忘れが防げ、補強部材７０を使用しないまま運搬される可能性を小さくできる。なお、取り付ける場所は、動作の邪魔にならないところであれば図示の例の場所に限定されず種々選定できる。
【実施例８】
【００５１】
図１２は本発明に係る画像形成装置の第８の実施例を示す斜視図（Ａ）と断面図（Ｂ）である。本実施例は、第７実施例の変形例であり、補強部材７０の再度の使用時に便利なように、スキャナ部１の底面とプリンタ部２の排紙カバー上面との対応位置にそれぞれガイド溝１ｂ、２ｂを設け、補強部材７０を排紙部４の開放端側からスライドさせて装着できるようにしたものである。このようにすることで、補強材として再使用する際にテープ止め等をする必要がなく再使用が容易になり、かつ何度でも使用できるようになる。
【００５２】
なお以上説明してきた各実施例の補強部材の形状、構造は、図示の例のものには限定されず、種々の形状、構造を選択できる。
【図面の簡単な説明】
【００５３】
【図１】本発明に係る画像形成装置の一実施例を示す斜視図
【図２】図１の実施例の支持部材の取付け構造を示す拡大斜視図
【図３】同支持部材の面形状を示す斜視図
【図４】同支持部材をブラケットに取り付ける状態を示す断面図
【図５】同組み立てた状態を示す斜視図
【図６】本発明に係る画像形成装置の第２の実施例を示す斜視図
【図７】本発明に係る画像形成装置の第３の実施例を示す斜視図
【図８】本発明に係る画像形成装置の第４の実施例を示す斜視図
【図９】本発明に係る画像形成装置の第５の実施例を示す斜視図（Ａ）と断面図（Ｂ、Ｃ）
【図１０】本発明に係る画像形成装置の第６の実施例を示す斜視図（Ａ）と断面図（Ｂ）
【図１１】本発明に係る画像形成装置の第７の実施例を示す斜視図（Ａ）と断面図（Ｂ）
【図１２】本発明に係る画像形成装置の第８の実施例を示す斜視図
【符号の説明】
【００５４】
１：スキャナ部１
２：プリンタ部
１ｂ、２ｂ：ガイド溝
３：支持部材
４：排紙部
５：前カバー
６：左カバー
７：給紙部
７ａ：給紙トレイ
８：操作部
８ａ：フック穴
９：本体後側板
１０：ブラケット
１１：ネジ
１２：嵌合部
１３：穴
１４：凸形状部
１５：穴
１６：爪形状部
１７：後カバー
２０：補強部材
２１：小孔
２２：窓
２３：ロック部材
２４：爪部
２５：操作片部
２６：スプリング
２７：係止凹部
３０：補強部材
３１：長溝
３２：係止穴
３３：操作片部
３４：ロック部材
３５：係止ピン
３６：解除ピン
３７：スプリング
４０：補強部材
４０ａ：凸形状部
４１、４２：収納スペース
５０：取手部
５１：収納箱体
５２：段差
６０：取手部
６１：切り欠き部
７０：補強部材
７１：フック形状部
【図１】
2005301181.tif 000003
【図２】
2005301181.tif 000004
【図３】
2005301181.tif 000005
【図４】
2005301181.tif 000006
【図５】
2005301181.tif 000007
【図６】
2005301181.tif 000008
【図７】
2005301181.tif 000009
【図８】
2005301181.tif 000010
【図９】
2005301181.tif 000011
【図１０】
2005301181.tif 000012
【図１１】
2005301181.tif 000013
【図１２】
2005301181.tif 000014